(57)【要約】【課題】建設工期を短縮することができるプラント建屋建設方法を提供する。【解決手段】本発明によるプラント建屋建設方法において、まず、床上に所望の部屋２を区画する壁４が施工される。次に、この部屋２の床上に設置される機器取付サポート７に、当該部屋２内に設置される設備機器８、９、１０の少なくとも一部を取り付けることにより機器モジュール６が製造される。次に、この機器モジュール６が部屋２の床上に設置され、設置された機器モジュール６の上方に中間床部材１１が設置される。その後、部屋２の天井を構成する天井部材１７が壁４に設置される。【選択図】図１
2010138578.tif 000002
【特許請求の範囲】
【請求項１】
プラントの建屋を建設するプラント建屋建設方法において、
床上に所望の部屋を区画する壁を施工する工程と、
この部屋の床上に設置される機器取付サポートに、当該部屋内に設置される設備機器の少なくとも一部を取り付けることにより機器モジュールを製造する工程と、
この機器モジュールを部屋の床上に設置する工程と、
設置された機器モジュールの上方に中間床部材を設置する工程と、
部屋の天井を構成する天井部材を壁に設置する工程と、を備えたことを特徴とするプラント建屋建設方法。
【請求項２】
機器モジュールを部屋の床上に設置する工程は、当該部屋の床上に緩衝部材を取り付ける工程と、この緩衝部材上に機器モジュールを設置する工程とを有することを特徴とする請求項１に記載のプラント建屋建設方法。
【請求項３】
中間床部材は、その下方に設置された機器モジュールにアクセスするための出入口を有し、
中間床部材を設置した後、中間床部材の出入口の下方に昇降設備が取り付けられることを特徴とする請求項１または２に記載のプラント建屋建設方法。
【請求項４】
中間床部材は、機器モジュールの機器取付サポートに取り付けられた設備機器の操作を行うための操作口を有し、
中間床部材を設置した後、中間床部材の操作口の下方に設備機器の操作を行う操作手段が取り付けられることを特徴とする請求項１乃至３のいずれかに記載のプラント建屋建設方法。
【請求項５】
天井部材に、中間床部材の上方に設置される設備機器を吊り下げて移送する移送手段が設けられていることを特徴とする請求項１乃至４のいずれかに記載のプラント建屋建設方法。
【請求項６】
この移送手段に、当該移送手段によって移送される設備機器を監視する監視カメラが設けられていることを特徴とする請求項５に記載のプラント建屋建設方法。
【請求項７】
中間床部材は、チェッカープレートおよびグレーチングプレートのうちのいずれか一方を用いて形成されていることを特徴とする請求項１乃至６のいずれかに記載のプラント建屋建設方法。
【請求項８】
床上に、大型機械が取り付けられる機械基礎体を設置する工程を更に備え、
機器モジュールの機器取付サポートは、この機械基礎体を貫通可能なサポート開口部を有し、
中間床部材は、機械基礎体を貫通可能な中間床開口部を有していることを特徴とする請求項１乃至７のいずれかに記載のプラント建屋建設方法。
【請求項９】
部屋の床上に緩衝部材を取り付ける工程と、この緩衝部材上に機器モジュールを設置する工程との間に、機械基礎体が設置されることを特徴とする請求項８に記載のプラント建屋建設方法。
【発明の詳細な説明】
【技術分野】
【０００１】
本発明は、プラントの建屋を建設するプラント建屋建設方法に係り、とりわけ、建設工期を確実に短縮することができるプラント建屋建設方法に関する。
【背景技術】
【０００２】
一般に、図４に示すような原子力発電所のプラント建屋４１を建設する際、まず、床を構成する床部材４３上に所望の部屋４２を区画する壁４４が施工され、この壁４４によって区画された部屋４２内に、この部屋４２内に設置される配管４５、ダクト４６、トレイ４７等の設備機器がクレーン（図示せず）により部屋４２の上方から搬入（先入れ）され、その後、壁４４に天井部材４８が設置される。
【０００３】
天井部材４８が設置された後、先入れされた配管４５、ダクト４６、トレイ４７の一部は、天井部材４８に取り付けられた吊り治具（図示せず）を用いて吊り上げられ（天井ブラクリ）、その残りは仮設サポート（図示せず）に取り付けられる。このようにして床上に載置されていた配管４５、ダクト４６、トレイ４７を避難させた後、床面の塗装が行われる。
【０００４】
塗装が行われた後、床上に仮設足場４９が組み立てられ、部屋４２の所望の箇所に本設サポート５０が設置される。また、天井部材４８には、他の設備機器を吊り下げて移送するモノレール５１が設置される。次に、この本設サポート５０に配管４５、ダクト４６、トレイ４７が設置されるとともに、この配管４５を操作する操作用バルブ５２が取り付けられる。その後、この操作用バルブ５２にアクセスするための操作架台５３および梯子５４が設置される。このような作業が完了した後、仮設足場４９が解体されて撤去される（例えば、特許文献１参照）。
【特許文献１】特許３０２７４３０号公報
【発明の開示】
【発明が解決しようとする課題】
【０００５】
しかしながら、このような方法では、床面を塗装する前に配管４５、ダクト４６、トレイ４７を先入れしているため、上述したように、床面を塗装する際には配管４５、ダクト４６、トレイ４７を吊り治具を用いて吊り上げ、さらには仮設サポートに取り付ける必要がある。このことにより、床面を塗装するために多くの時間が費やされ、プラント建屋４１を建設するための期間が長期化していた。
【０００６】
また、配管４５、ダクト４６、トレイ４７を、部屋４２内に設置された本設サポート５０に取り付けるために仮設足場４９を組み立てて、取付後に解体および撤去をしている。さらに、これら配管４５、ダクト４６、トレイ４７を設置するための本設サポート５０、および操作架台５３を部屋４２内に設置する必要がある。このため、プラント建屋４１の建設工期を短縮することが困難であった。
【０００７】
本発明は、このような点を考慮してなされたものであり、建設工期を短縮することができるプラント建屋建設方法を提供することを目的とする。
【課題を解決するための手段】
【０００８】
本発明は、プラントの建屋を建設するプラント建屋建設方法において、床上に所望の部屋を区画する壁を施工する工程と、この部屋の床上に設置される機器取付サポートに、当該部屋内に設置される設備機器の少なくとも一部を取り付けることにより機器モジュールを製造する工程と、この機器モジュールを部屋の床上に設置する工程と、設置された機器モジュールの上方に中間床部材を設置する工程と、部屋の天井を構成する天井部材を壁に設置する工程と、を備えたことを特徴とするプラント建屋建設方法である。
【０００９】
本発明は、機器モジュールを部屋の床上に設置する工程は、当該部屋の床上に緩衝部材を取り付ける工程と、この緩衝部材上に機器モジュールを設置する工程とを有することを特徴とするプラント建屋建設方法である。
【００１０】
本発明は、中間床部材は、その下方に設置された機器モジュールにアクセスするための出入口を有し、中間床部材を設置した後、中間床部材の出入口の下方に昇降設備が取り付けられることを特徴とするプラント建屋建設方法である。
【００１１】
本発明は、中間床部材は、機器モジュールの機器取付サポートに取り付けられた設備機器の操作を行うための操作口を有し、中間床部材を設置した後、中間床部材の操作口の下方に設備機器の操作を行う操作手段が取り付けられることを特徴とするプラント建屋建設方法である。
【００１２】
本発明は、天井部材に、中間床部材の上方に設置される設備機器を吊り下げて移送する移送手段が設けられていることを特徴とするプラント建屋建設方法である。
【００１３】
本発明は、この移送手段に、当該移送手段によって移送される設備機器を監視する監視カメラが設けられていることを特徴とするプラント建屋建設方法である。
【００１４】
本発明は、中間床部材は、チェッカープレートおよびグレーチングプレートのうちのいずれか一方を用いて形成されていることを特徴とするプラント建屋建設方法である。
【００１５】
本発明は、床上に、大型機械が取り付けられる機械基礎体を設置する工程を更に備え、
機器モジュールの機器取付サポートは、この機械基礎体を貫通可能なサポート開口部を有し、中間床部材は、機械基礎体を貫通可能な中間床開口部を有していることを特徴とするプラント建屋建設方法である。
【００１６】
本発明は、部屋の床上に緩衝部材を取り付ける工程と、この緩衝部材上に機器モジュールを設置する工程との間に、機械基礎体が設置されることを特徴とするプラント建屋建設方法である。
【発明の効果】
【００１７】
本発明によれば、部屋内に設置される設備機器の少なくとも一部は、部屋の床上に設置される機器取付サポートに取り付けられて、機器モジュールとして部屋の床上に設置され、この設置された機器モジュールの上方に中間床部材が設置される。このことにより、この中間床部材の下方に機器モジュールの設備機器を収納して設置することができる。このため、設備機器を部屋内に容易かつ迅速に設置することができ、プラント建屋の建設工期を確実に短縮することができる。
【発明を実施するための最良の形態】
【００１８】
第１の実施の形態
以下、図面を参照して、本発明の実施の形態について説明する。ここで、図１および図２は、本発明の第１の実施の形態におけるプラント建屋建設方法を示す図である。このうち図１は、本発明の第１の実施の形態におけるプラント建屋建設方法により建設されるプラント建屋の断面構成を示す概略図であり、図２は、本発明の第１の実施の形態におけるプラント建屋建設方法の工程を示す概略図である。
【００１９】
図１によりプラント建屋１の一例について説明する。図１に示すプラント建屋１は、部屋２の床を構成する床部材３と、この床部材３上面に施工されて、部屋２を区画する壁４とを備えている。このうち床部材３は、打設されたコンクリートに埋設され、後述する機器モジュール６の機器取付サポート７に取り合う埋設金物３ａを有している。同様に壁４は、打設されたコンクリートに埋設され、機器取付サポート７に取り合う埋設金物４ａと、後述する中間床部材１１に取り合う埋設金物４ｂとを有している。
【００２０】
床部材３の上面に、エポキシラバー（緩衝部材）５が取り付けられている。このエポキシラバー５は、部屋２の平面形状に対応する平面形状を有していてもよいが、部屋２の平面形状よりも大きくして、壁４の一部を覆う程度に形成してもよい。
【００２１】
このエポキシラバー５上には、設備機器の少なくとも一部を有する機器モジュール６が設置されている。この機器モジュール６は、床部材３上に設置される機器取付サポート７を有し、この機器取付サポート７に設備機器の少なくとも一部、例えば配管８、ダクト９、トレイ１０が取り付けられている。この機器取付サポート７は、部屋２の平面形状に対応する平面形状を有し、床部材３の埋設金物３ａおよび壁４の埋設金物４ａに固定されている。
【００２２】
機器モジュール６の上方に、所定の強度を有した中間床部材１１が設置されている。このように中間床部材１１が設置されることにより、部屋２の床を事実上かさ上げすることができる。この中間床部材１１は、部屋２の平面形状に対応する平面形状を有し、壁４の埋設金物４ｂに固定されている。また、中間床部材１１は、その下方に設置された機器モジュール６にアクセスするための出入口１２を有し、この出入口１２に手摺１３が設けられている。さらに中間床部材１１は、機器モジュール６の機器取付サポート７に取り付けられた配管８の操作を行うための操作口１４を有している。
【００２３】
なお、この中間床部材１１は、表面に多数の突起が形成され、めっき処理が施されたチェッカープレート（縞鋼板）、および多数の開口が格子状に形成され、めっき処理が施されたグレーチングプレートのうちのいずれか一方を用いて形成されていることが好ましい。このことにより、中間床部材１１上を塗装を行う作業を省くことができる。なお、このうちチェッカープレートを用いた場合には、中間床部材１１の下方に物が落下することを防止することができ、グレーチングプレートを用いた場合には、天井に取り付けられた照明設備（図示せず）により中間床部材１１の下方、すなわち機器モジュール６に対する照度を確保することができる。
【００２４】
また、図１に示すように、中間床部材１１の出入口１２の下方に、梯子（昇降設備）１５が取り付けられ、作業者が機器モジュール６に容易にアクセスすることができるように構成されている。
【００２５】
中間床部材１１の操作口１４の下方には、配管８を流れる流体の流量を調整する操作バルブ（操作手段）１６が取り付けられ、配管８を流れる流体の流量を容易に調整することができるように構成されている。
【００２６】
また、壁４に、部屋２の天井を構成する天井部材１７が取り付けられている。
【００２７】
この天井部材１７に、中間床部材１１の上方に設置される設備機器を吊り下げて移送する３つのモノレール（移送手段）１８が設けられている。さらに、これらのモノレール１８のうちの一つに、他のモノレール１８によって移送される設備機器を監視する監視カメラが設けられている。このため、モノレール１８による移送作業を遠隔監視することができる。
【００２８】
次に、このような構成からなる本実施の形態の作用、すなわち本発明によるプラント建屋建設方法について説明する。
【００２９】
まず、床部材３上に所望の部屋２を区画する壁４が施工される。
【００３０】
次に、この部屋２の床上に設置される機器取付サポート７に、当該部屋２内に設置される配管８、ダクト９、トレイ１０を取り付けて機器モジュール６が製造される。
【００３１】
次に、床部材３上にエポキシラバー５が取り付けられ、このエポキシラバー５上に機器モジュール６が設置される。この場合、機器モジュール６はクレーン（図示せず）により部屋２の上方から搬入されてエポキシラバー５上に載置され、機器モジュール６の機器取付サポート７が、床部材３の埋設金物３ａ、および壁４の埋設金物４ａに固定される。
【００３２】
次に、機器モジュール６の上方に中間床部材１１が設置される。この場合、中間床部材１１は、クレーンにより部屋２の上方から搬入されて、壁４の埋設金物４ｂに固定される。
【００３３】
次に、中間床部材１１の出入口１２の下方に梯子１５が取り付けられるとともに、中間床部材１１の操作口１４の下方に操作バルブ１６が取り付けられる。
【００３４】
次に、天井部材１７がクレーンを用いて壁４に設置されて部屋２が形成される。その後、天井部材１７の下面に、３つのモノレール１８が取り付けられ、これらのモノレール１８のうちの一つに監視カメラ１９が取り付けられる。
【００３５】
このように本実施の形態によれば、部屋２内に設置される配管８、ダクト９、トレイ１０は、この部屋２の床上に設置される機器取付サポート７に取り付けられて、機器モジュール６として部屋２内に搬入されて床上にエポキシラバー５を介して設置され、この設置された機器モジュール６の上方に中間床部材１１が設置される。このことにより、この中間床部材１１の下方に配管８、ダクト９、トレイ１０を収納して設置することができる。このため、配管８、ダクト９、トレイ１０を部屋２内に容易かつ迅速に設置することができ、プラント建屋１の建設工期を短縮することができる。
【００３６】
ここで、従来の建設方法においては、図２に示すように、配管８、ダクト９、トレイ１０を天井部材１７に吊り下げる作業（天井ブラクリ）、床上を塗装する作業、仮設足場４９（図４参照）を組み立てる作業、壁４または天井に本設サポート５０（図４参照）を取り付けて、この本設サポート５０に配管８、ダクト９、トレイ１０を設置する作業、並びに操作バルブ１６用の操作架台５３（図４参照）を取り付ける作業を順次行っている。これに対して本発明によれば、床上にエポキシラバー５を取り付ける作業、このエポキシラバー５上に機器モジュール６を取り付ける作業、および中間床部材１１を取り付ける作業を行うが、従来行われていた仮設足場４９の組立および解体作業、操作架台５３の取付作業が不要となる。このため、プラント建屋１の建設工期を確実に短縮することができる。
【００３７】
また本実施の形態によれば、床部材３上面にエポキシラバー５を介して機器モジュール６が設置される。このことにより、機器モジュール６を床部材３上面に設置する際、機器モジュール６の配管８、ダクト９、トレイ１０が衝撃を受けることを防止して、配管８、ダクト９、トレイ１０が変形または破損することを確実に防止することができる。
【００３８】
第２の実施の形態
次に、図３により、本発明の第２の実施の形態におけるプラント建屋建設方法について説明する。ここで図３は、本発明の第２の実施の形態におけるプラント建屋建設方法により建設されるプラント建屋の断面構成を示す概略図である。
【００３９】
図３に示す第２の実施の形態におけるプラント建屋建設方法は、床上に、大型機械が設置される機械基礎体を設置する工程を更に備えている点が主に異なり、他の構成は、図１および図２に示す第１の実施の形態と略同一である。なお、図３において、図１および図２に示す第１の実施の形態と同一部分には同一符号を付して詳細な説明は省略する。
【００４０】
図３に示す部屋２において、床部材３上に、エポキシラバー５を介して、ポンプ（大型機械）３０が取り付けられる機械基礎体３２が設置されている。この機械基礎体３２上に、ポンプ基礎台３３を介してポンプ３１が取り付けられ、このポンプ３１にケーブル端子箱３４を介してケーブルダクト３５が連結されている。ポンプ３１とケーブル端子箱３４は図示しない配線により接続され、このケーブル端子箱３４にケーブル３６が接続されている。このケーブル３６は、ケーブルダクト３５を通って機器モジュール６のトレイ１０に案内されている。
【００４１】
また、機器モジュール６の機器取付サポート７は、この機械基礎体３２を貫通可能なサポート開口部７ａを有している。同様に、中間床部材１１は、機械基礎体３２を貫通可能な中間床開口部１１ａを有している。
【００４２】
図３に示すプラント建屋１を建設する場合、まず、床部材３上に所望の部屋２を区画する壁４が施工される。
【００４３】
次に、この部屋２の床上に設置される機器取付サポート７に、当該部屋２内に設置される配管８、ダクト９、トレイ１０を取り付けて機器モジュール６が製造される。
【００４４】
次に、床部材３上にエポキシラバー５が取り付けられ、このエポキシラバー５上に機械基礎体３２が設置される。この場合、機械基礎体３２は、クレーン（図示せず）により部屋２の上方から搬入されてエポキシラバー５上に設置される。
【００４５】
次に、機器取付サポート７のサポート開口部７ａに機械基礎体３２を貫通させながら、エポキシラバー５上に機器モジュール６が設置され、その後、中間床部材１１の中間床開口部１１ａに機械基礎体３２を貫通させながら、機器モジュール６の上方に中間床部材１１が設置される。
【００４６】
次に、ポンプ基礎台３３およびポンプ３１をクレーン（図示せず）により部屋２の上方から搬入し、機械基礎体３２にポンプ基礎台３３を介してポンプ３１を取り付ける。次に、同様にしてケーブル端子箱３４およびケーブルダクト３５を搬入し、ポンプ３１にケーブル端子箱３４を介してケーブルダクト３５を連結する。その後、ポンプ３１とケーブル端子箱３４を図示しない配線により接続し、ケーブル端子箱３４にケーブルダクト３５を通ってトレイ１０に案内されるケーブル３６を接続する。
【００４７】
このように本実施の形態によれば、床部材３上に機械基礎体３２が設置され、この機械基礎体３２上に比較的大型の機械であるポンプ３１が取り付けられる場合においても、機器モジュール６および中間床部材１１を設置することができる。このことにより、この中間床部材１１の下方に配管８、ダクト９、トレイ１０を収納して設置することができる。このため、配管８、ダクト９、トレイ１０を部屋２内に容易かつ迅速に設置することができ、プラント建屋１の建設工期を短縮することができる。
【図面の簡単な説明】
【００４８】
【図１】図１は、本発明の第１の実施の形態におけるプラント建屋建設方法により建設されるプラント建屋の断面構成を示す概略図。
【図２】図２は、本発明の第１の実施の形態におけるプラント建屋建設方法の工程と従来のプラント建屋建設方法の工程との比較を示す概略図。
【図３】図３は、本発明の第２の実施の形態におけるプラント建屋建設方法により建設されるプラント建屋の断面構成を示す概略図。
【図４】図４は、従来のプラント建屋の断面構成を示す概略図。
【符号の説明】
【００４９】
１      プラント建屋
２      部屋
３      床部材
３ａ    埋設金物
４      壁
４ａ    埋設金物
４ｂ    埋設金物
５      エポキシラバー
６      機器モジュール
７      機器取付サポート
７ａ    サポート開口部
８      配管
９      ダクト
１０    トレイ
１１    中間床部材
１１ａ  中間床開口部
１２    出入口
１３    手摺
１４    操作口
１５    梯子
１６    操作バルブ
１７    天井部材
１８    モノレール
１９    監視カメラ
３１    ポンプ
３２    機械基礎体
３３    ポンプ基礎台
３４    ケーブル端子箱
３５    ケーブルダクト
３６    ケーブル
４１    プラント建屋
４２    部屋
４３    床部材
４４    壁
４５    配管
４６    ダクト
４７    トレイ
４８    天井部材
４９    仮設足場
５０    本設サポート
５１    モノレール
５２    操作用バルブ
５３    操作架台
５４    梯子
【図１】
2010138578.tif 000003
【図２】
2010138578.tif 000004
【図３】
2010138578.tif 000005
【図４】
2010138578.tif 000006